(57)【要約】【課題】  高性能化を容易に図ることのできる入力装置を提供する。器を提供する。【解決手段】  入力部５ａに静電センサ５の入力検出部７が配設されている入力手段２と、入力手段２の入力部の背面に照明部１２が配設されている照明手段３とを有し、静電センサ５の入力検出部７が、照明手段３からの照明によって指示表示８を可能に形成する。【選択図】      図１
2006260971.tif 000002
【特許請求の範囲】
【請求項１】
情報の入力操作を行うために、入力部に静電センサの入力検出部が配設されている入力手段と、
前記入力手段の入力部の背面に照明部が配設されている照明手段とを有し、
前記静電センサの入力検出部が、前記照明手段からの照明によって指示表示が可能に形成されていることを特徴とする入力装置。
【請求項２】
前記静電センサの入力検出部が、前記照射手段からの照明を遮光する遮光部とされているとともに、その形状が、指示表示に用いるパターンに形成されていることを特徴とする請求項１に記載の入力装置。
【請求項３】
前記静電センサの入力検出部が、前記照射手段からの照明を遮光する遮光部とされているとともに、入力検出部の内部に指示表示に用いるパターンの光透過用開口が形成されていることを特徴とする請求項１に記載の入力装置。
【請求項４】
前記照射手段からの照明があるオン状態において前記指示表示を視認可能とし、前記照射手段からの照明がないオフ状態において前記指示表示を非視認状態とするために、前記入力手段の入力部の表面にカバーパネルが設けられていることを特徴とする請求項１ないし請求項３のいずれか１項に記載の入力装置。
【請求項５】
前記カバーパネルが、ハーフミラーあるいはスモークパネルであることを特徴とする請求項１ないし請求項４のいずれか１項に記載の入力装置。
【請求項６】
情報の入力操作を行うために、入力部に静電センサの入力検出部が配設されている入力手段と、
前記入力手段の入力部の背面に照明部が配設されている照明手段と、
前記静電センサの入力検出部の上方に第１の指示表示を行うために、前記入力手段の入力部の表面に配設されているカバーパネルとを有し、
前記静電センサの入力検出部が、前記照明手段からの照明によって第２の指示表示が可能に形成されており、
前記カバーパネルが、前記照射手段からの照明があるオン状態において前記第１および第２の指示表示の両者を視認可能とし、前記照射手段からの照明がないオフ状態において前記第１の指示表示のみを視認可能とするように形成されていることを特徴とする入力装置。
【請求項７】
前記静電センサの入力検出部が、前記照射手段からの照明を遮光する遮光部とされているとともに、その形状が、第２の指示表示に用いるパターンに形成されていることを特徴とする請求項６に記載の入力装置。
【請求項８】
前記静電センサの入力検出部が、前記照射手段からの照明を遮光する遮光部とされているとともに、入力検出部の内部に第２の指示表示に用いるパターンの光透過用開口が形成されていることを特徴とする請求項６に記載の入力装置。
【請求項９】
前記カバーパネルが、ハーフミラーあるいはスモークパネルであり、これらのハーフミラーあるいはスモークパネルの表面または背面に、前記第１の指示表示が形成されていることを特徴とする請求項６ないし請求項８のいずれか１項に記載の入力装置。
【発明の詳細な説明】
【技術分野】
【０００１】
本発明は、静電センサを用いて操作情報の入力操作を行う入力装置に係り、特に、指示表示および照明手段によって入力操作部の認識性を向上するのに好適な入力装置に関する。
【背景技術】
【０００２】
従来から、静電容量の変化を検出することでスイッチング動作を行う静電センサを有する入力手段を備えた入力装置が、携帯電話、携帯情報端末（ＰＤＡ）などの各種の電子機器において操作者が数値や文字などの各種の情報の入力操作を行うための入力装置として用いられている。
【０００３】
このような入力装置は、例えば、電子機器の筐体に形成された入力操作部（入力操作面）に複数の静電センサの入力検出部、詳しくは電極が配設されており、これらの電極と対向する部位に、導電体からなる入力操作体、例えば、操作者の指先やスタイラスなどが接近あるいは接触した場合、その電極の静電容量が変化し、その変化に係る出力信号を得ることによって入力操作が行われるようになっている（例えば、特許文献１参照）。
【０００４】
また、電子機器、例えば、携帯電話の入力操作部などにおいては、操作キーを有する操作部の背面に照明手段（キーバックライト）を配設するとともに、透過性を有する素材により形成された操作キーの表面に、キー個々の機能を示す数字、文字、記号などの指示表示を設けることで操作時における操作部位の認識性を向上させたものがある（例えば、特許文献２参照）。
【０００５】
【特許文献１】特開２００４−２０１１７５号公報
【特許文献２】特開２００３−３０８７５２号公報
【発明の開示】
【発明が解決しようとする課題】
【０００６】
ところで、近年においては各種装置の高性能化が求められており、各種装置の高性能化の一つとして、入力装置においても高性能化が求められている。
【０００７】
例えば、静電センサを入力操作に用いた入力装置においては、静電センサの入力検出部の上に、照明手段によって認識可能な指示表示をキートップに印刷などによって設けなければならず、部品点数の増加、装置の大型化などを招きやすく、近年の装置の小型化、薄型化、低コスト化を阻害するという問題点があった。
【０００８】
また、従来の入力装置においては、照明手段からの光の遮光あるいは透過光で指示表示のパターンの識別を行っているため、例えば、携帯電話あるいは携帯情報端末の入力操作部などのように、入力操作部の面積が小さい場合には、指示表示が小さく、入力機能の識別性、すなわち指示表示の視認性に劣るという問題があった。
【０００９】
さらに、近年の入力装置、例えば、携帯電話、携帯情報端末の入力操作部においては、機能の増加にともなって、数値の入力、メニュー選択、モード切替などの多種多様の操作が求められており、指示表示の多様性および視認性のさらなる向上が求められている。なお、視認性の向上には、照明のオン状態における指示表示の見やすさだけでなく、照明のオン状態およびオフ状態の両者における指示表示の見え方や見栄えなどの向上も含まれる。
【００１０】
本発明はこのような点に鑑みてなされたものであり、高性能化を容易に図ることのできる入力装置を提供することを目的とする。
【課題を解決するための手段】
【００１１】
前述した目的を達成するため、本発明に係る入力装置の特徴は、情報の入力操作を行うために、入力部に静電センサの入力検出部が配設されている入力手段と、前記入力手段の入力部の背面に照明部が配設されている照明手段とを有し、前記静電センサの入力検出部が、前記照明手段からの照明によって指示表示が可能に形成されている点にある。
【００１２】
前記静電センサの入力検出部が、前記照射手段からの照明を遮光する遮光部とされているとともに、その形状が、指示表示に用いるパターンに形成されていることが好ましい。
【００１３】
前記静電センサの入力検出部が、前記照射手段からの照明を遮光する遮光部とされているとともに、入力検出部の内部に指示表示に用いるパターンの光透過用開口が形成されていることが好ましい。
【００１４】
前記照射手段からの照明があるオン状態において前記指示表示を視認可能とし、前記照射手段からの照明がないオフ状態において前記指示表示を非視認状態とするために、前記入力手段の入力部の表面にカバーパネルが設けられていることが好ましい。
【００１５】
また、本発明に係る他の入力装置の特徴は、情報の入力操作を行うために、入力部に静電センサの入力検出部が配設されている入力手段と、前記入力手段の入力部の背面に照明部が配設されている照明手段と、前記静電センサの入力検出部の上方に第１の指示表示を行うために、前記入力手段の入力部の表面に配設されているカバーパネルとを有し、前記静電センサの入力検出部が、前記照明手段からの照明によって第２の指示表示が可能に形成されており、前記カバーパネルが、前記照射手段からの照明があるオン状態において前記第１および第２の指示表示の両者を視認可能とし、前記照射手段からの照明がないオフ状態において前記第１の指示表示のみを視認可能とするように形成されている点にある。
【００１６】
前記静電センサの入力検出部が、前記照射手段からの照明を遮光する遮光部とされているとともに、その形状が、第２の指示表示に用いるパターンに形成されていることが好ましい。
【００１７】
前記静電センサの入力検出部が、前記照射手段からの照明を遮光する遮光部とされているとともに、入力検出部の内部に第２の指示表示に用いるパターンの光透過用開口が形成されていることが好ましい。
【００１８】
前記カバーパネルが、ハーフミラーあるいはスモークパネルであり、これらのハーフミラーあるいはスモークパネルの表面または背面に、前記第１の指示表示が形成されていることが好ましい。
【発明の効果】
【００１９】
本発明に係る入力装置によれば、静電センサの入力検出部によって指示表示を一体に形成することができるので、高性能化を容易に図ることができる。
【発明を実施するための最良の形態】
【００２０】
以下、本発明を図面に示す実施形態により説明する。
【００２１】
図１から図３は本発明に係る入力装置の第１実施形態を示すものであり、図１は要部の模式的分解斜視図、図２は図１の斜視図、図３は入力手段の要部を示す模式的拡大平面図である。
【００２２】
図１および図２に示すように、本実施形態の入力装置１は、入力手段２と、照明手段３と、カバーパネル４とを有しており、これらの入力手段２、照明手段３およびカバーパネル４は、電子機器の本体ケースなどの使用目的に応じた所定形状のケースの入力操作部に搭載されるようになっている。
【００２３】
前記入力手段２は、情報の入力操作に用いるためのものであり、本実施形態の入力手段２は、静電センサ５を有している。この静電センサ５は、図３に示すように、情報の入力操作の実行部位となる入力部５ａと、回路基板５ｂとを有している。そして、入力部５ａは、透明基板６と、この透明基板６の表面に形成された入力検出部としての５つの電極７とを有している。
【００２４】
前記透明基板６は、ポリイミドあるいはポリエチレンテレフタレートなどの絶縁性を有する透明な可撓性フィルムあるいはシート状の素材により形成されており、平面矩形に形成された平板状の本体部６ａと、この本体部６ａの右辺から延出形成された帯状の接続部６ｂとを有している。そして、本体部６ａの表面に５つの電極７が形成されている。
【００２５】
本実施形態の各電極７は、５つの指示表示８のパターンとなる「Ａ」、「Ｂ」、「Ｃ」、「Ｄ」の文字形状に形成された４つの電極７ａ、７ｂ、７ｃ、７ｄと、一筆書きで「Ｔｏｕｃｈ  Ｍｏｔｉｏｎ」の文字形状に形成された１つの電極７ｅとが上下２段に配列されている。
【００２６】
すなわち、本実施形態の入力装置１においては、照明のオン状態において、「Ａ」の指示表示８ａ、「Ｂ」の指示表示８ｂ、「Ｃ」の指示表示８ｃ、「Ｄ」の指示表示８ｄ、および、「Ｔｏｕｃｈ  Ｍｏｔｉｏｎ」の指示表示８ｅの総計５種類の指示表示８（符号８は、５つの指示表示８ａ、８ｂ、８ｃ、８ｄ、８ｅを総称する）を行うことができるように形成されている。
【００２７】
なお、電極７の数および形状としては、数値、記号、絵記号などの各種の形状から単数もしくは複数のものを使用目的に応じて選択することができる。勿論、１つの電極７に対して１つの透明基板６を有する構成としてもよい。
【００２８】
前記電極７としては、銅あるいはアルミニウムなどの金属により形成された金属色を呈する導体層が用いられており、印刷、熱転写、薄膜形成法とフォトリソ法との組み合わせなどにより透明基板６上に形成されている。
【００２９】
したがって、本実施形態の静電センサ５の入力検出部としての電極７は、照明手段３からの照明を遮光する遮光部１４（図４参照）とされているとともに、その形状が、指示表示８に用いるパターンに形成されている。
【００３０】
なお、電極７としては、電極７に指示表示８の機能を合わせ持たせることのできる遮光性および導電性を有する素材であればよい。
【００３１】
前記各電極７には、それぞれ引き回し配線９の一端が接続されており、これらの引き回し配線９の他端は、接続部６ｂの先端部に形成されている接続端子１０に接続されている。そして、接続端子１０を、回路基板５ｂに設けられたコネクタ１１に差し込むことで、入力部５ａと回路基板５ｂとが電気的に接続されるようになっている。
【００３２】
なお、引き回し配線９は、電極７と同一素材により形成することが入力手段２を容易に形成することができるという意味で好ましいが、この場合、引き回し配線９も照明手段３からの照明を遮光する遮光部１４となるので、引き回し配線９を視認しにくいように細く形成したり、引き回し配線９を指示表示８の一部として用いるとよい。また、引き回し配線９を透明電極により形成することで照明手段３からの照明を透過させる構成としてもよい。
【００３３】
前記接続端子１０を除く電極７および配線は、腐蝕および損傷などから保護するための一様な厚さの対向基板（図示せず）によって被覆されている。この対向基板は、透明基板６と同様に、ポリイミドあるいはポリエチレンテレフタレートなどの絶縁性を有する透明な可撓性フィルムあるいはシート状の素材によって形成されている。
【００３４】
すなわち、本実施形態の静電センサ５は、入力検出部としての電極７が、透明基板６と対向基板とからなる透明な誘電体によって挟持された構成となっている。
【００３５】
前記回路基板５ｂは、例えば、ＣＰＵ、メモリを有するマイコンのクロック信号生成手段からドライブ波となるクロック信号をＡＮＤ手段となるＡＮＤ回路の１つの入力信号として出力するようにされており、ＡＮＤ回路の入力側には、クロック信号生成手段側より直列接続された抵抗と静電センサ５とからなる遅延手段が接続されている。この遅延手段においては、静電センサ５に人体（指先など）が接近または接触した時に検知される静電容量に応じてクロック信号に立ち上がりの遅延を付与した遅延信号をＡＮＤ回路の他の入力信号として出力するように構成されている。また、ＡＮＤ回路の出力側には、ＡＮＤ回路の出力をクロック信号によってスイッチングして出力するアナログスイッチが接続されており、このアナログスイッチの出力側には、その出力を平滑にして出力する平滑手段としての抵抗およびコンデンサが接続されている。そして、平滑手段は、マイコンに設けられているＡＤコンバータに出力するように接続されている。
【００３６】
前記静電センサ５としては、アクティブ型もしくはパッシブ型のどちらを用いてもよいが、入力手段２の小型化、構造の単純化、駆動電力の省エネルギ化を容易に図ることができるという意味でパッシブ型を用いることが好ましい。
【００３７】
前記照明手段３は、入力手段２の入力部５ａを背面側から照明するためのものであり、透明基板６の本体部６ａの背面に配設される照明部としての導光板１２を有しており、導光板１２の側面などに配設された図示しないＬＥＤなどの光源からの光を上面から面状に照射することができるようになっている。
【００３８】
なお、照明手段３としては、例えば、携帯電話の操作部に用いられるキーバックライトや液晶表示装置の背面照明に用いるものなどの公知のものから選択使用されているので、その詳しい説明は省略する。
【００３９】
また、照明手段３は、静電センサ５が入力操作体、例えば、指先の接近あるいは接触を検出したり、静電センサ５が動作中、すなわち入力操作が可能な電源オン状態であれば、照明がオン状態を保持するように構成されている。
【００４０】
前記カバーパネル４は、照明手段３からの照明があるオン状態において指示表示８としての電極７を視認可能とし、照明手段３からの照明がないオフ状態において指示表示８としての電極７を非視認状態とするためのものであり、本実施形態においては、ハーフミラーあるいはスモークパネルが用いられている。
【００４１】
なお、カバーパネル４は、設計コンセプトなどの必要に応じて設ければよい。
【００４２】
つぎに、前述した構成からなる本実施形態の作用について説明する。
【００４３】
図４は本発明の入力装置の第１実施形態の照明のオン状態における指示表示の表示状態を示す図２と同様の図である。
【００４４】
本実施形態の入力装置１によれば、高性能化を容易に図ることができる。
【００４５】
すなわち、本実施形態の入力装置１によれば、照明手段３からの照明のないオフ状態においては、図２に示すように、カバーパネル４の表面に何も見えなくすることができ、照明手段３からの照明のあるオン状態においては、すべての電極７が遮光部１４となり、図４に示すように、各電極７を除く部分が明るく光る透過領域１３となるので、５つの電極７ａ、７ｂ、７ｃ、７ｄ、７ｅにより形成された５つの指示表示８ａ、８ｂ、８ｃ、８ｄ、８ｅをカバーパネル４の表面に顕在化して明瞭に映し出すことができる。
【００４６】
すなわち、本実施形態の入力装置１によれば、静電センサ５の入力検出部としての電極７が、照明手段３からの照明を遮光する遮光部１４とされているとともに、その形状が、指示表示８に用いるパターンに形成されているので、静電センサ５の電極７を照明手段３からの照明によって指示表示８とすることが容易にできる。
【００４７】
したがって、本実施形態の入力装置１によれば、静電センサ５の電極７に、指示表示８の機能を併せ持たせる（一体化する）ことができるので、従来の指示表示８を個別に設ける構成に比較して、部品点数を削減することができる。そして、部品点数の削減により、小型化、薄型化、低コスト化を容易に図ることができる。
【００４８】
また、本実施形態の入力装置１によれば、照明のオン状態において電極７を除く部位が光る透過領域１３となるので、接触操作する部位を操作者に容易に識別させることができる。これにより誤操作を防止することもできる。
【００４９】
すなわち、照明がオン状態となることで、静電センサ５の入力検出部としての電極７である操作スイッチ（操作キー）が背面から照明されるので、どこに操作スイッチがあるのかを利用者が容易に判別することができる。その結果、指示表示８の視認性を向上することができる。
【００５０】
本実施形態の入力装置１によれば、カバーパネル４が設けられているので、照明手段３からの照明があるオン状態においては指示表示８を確実に視認可能とし、照明手段３からの照明がないオフ状態においては指示表示８を確実に隠蔽することができるので、指示表示８の有無をより明瞭に識別することができる。その結果、操作性の向上と、照明のオン状態における指示表示８の見やすさ、照明のオン状態およびオフ状態の両者における指示表示８の見え方や見栄えなどの視認性の向上などの外観品質の向上とを容易に図ることができる。
【００５１】
本実施形態の入力装置１によれば、カバーパネル４としてハーフミラーを用いた場合には、照明のオフ状態における表面の色を金属色とすることができるので、電子機器の入力操作部に高級感を付与することができる。
【００５２】
本実施形態の入力装置１によれば、カバーパネル４としてスモークパネルを用いた場合には、照明のオフ状態における表面の色をスモークパネルの色彩によって制御することができるので、電子機器の入力操作部の色のバリエーションを容易に得ることができる。
【００５３】
したがって、カバーパネル４としてハーフミラーあるいはスモークパネルを用いることで、電子機器の多様性を容易に得ることができる。
【００５４】
図５および図６は、本発明に係る入力装置の第２実施形態を示すものであり、図５は要部を示す模式的分解斜視図、図６は照明のオン状態における指示表示の表示状態を示す斜視図である。
【００５５】
本実施形態の入力装置１Ａは、前述した第１実施形態の入力装置１の表面の電極７からなる遮光部１４を除く、照明により光る部位である透過領域１３を、指示表示８の周囲に限定する構成の一例を示すものである。
【００５６】
すなわち、本実施形態の入力装置１Ａは、入力手段２と照明手段３との間に、所望の透過領域１３を得るための遮光板２１を配設するとともに、この遮光板２１に、４つの指示表示８ａ、８ｂ、８ｃ、８ｄのパターンとなる「Ａ」、「Ｂ」、「Ｃ」、「Ｄ」の文字形状に形成された４つの電極７ａ、７ｂ、７ｃ、７ｄを一括して内部に配置可能な図５の上方に示す横長楕円形の第１開口２１ａと、１つの指示表示８ｅのパターンとなる「Ｔｏｕｃｈ  Ｍｏｔｉｏｎ」の文字形状に形成された電極７ｅを内部に配置可能な図５の下方に示す横長楕円形の第２開口２１ｂとが上下２段に配列されている。
【００５７】
なお、各開口２１ａ、２１ｂの形状は、円、楕円、半円、半楕円、三角形、矩形、多角形、円弧状などの多種多様の各種の形状から設計コンセプトなどの必要に応じて選択することができる。
【００５８】
また、各開口２１ａ、２１ｂのサイズも、設計コンセプトなどの必要に応じて設定することができる。
【００５９】
例えば、図５の上方に示す第１開口２１ａを４分割し、「Ａ」、「Ｂ」、「Ｃ」、「Ｄ」の文字形状に形成された４つの電極７ａ、７ｂ、７ｃ、７ｄのそれぞれを内部に配置可能なものとしてもよい。
【００６０】
さらに、遮光板２１のかわりに、入力手段２の照明手段３との対向面、あるいは、照明手段３の入力手段２との対向面の一方に、所望のパターンの遮光膜を印刷などにより設けてもよい。
【００６１】
その他の構成は、前述した第１実施形態の入力装置１と同様とされているので、前述した第１実施形態の入力装置１と同一ないし相当する構成については図面中に同一の符号を付し、その詳しい説明については省略する。
【００６２】
このような構成の本実施形態の入力装置１Ａによれば、照明手段３からの照明のないオフ状態においては、前述した第１実施形態の入力装置１と同様に、入力装置１Ａの表面に何も見えなくすることができる。
【００６３】
また、本実施形態の入力装置１Ａによれば、照明手段３からの照明のあるオン状態においては、すべての電極７および遮光板２１の形成領域のそれぞれが遮光部１４Ａとなり、図６に示すように、上下２段の２つの横長楕円形の透過領域１３Ａの内部に、５つの電極７が遮光部１４Ａとなることで形成されたすべての指示表示８をカバーパネル４の表面に顕在化してより明瞭に映し出すことができる。
【００６４】
すなわち、カバーパネル４の表面において、図６の上段に示す横長楕円形の透過領域１３Ａの内部には、「Ａ」、「Ｂ」、「Ｃ」、「Ｄ」の４つの指示表示８ａ、８ｂ、８ｃ、８ｄが顕在化して映し出され、図６の下段に示す横長楕円形の透過領域１３Ａの内部には、「Ｔｏｕｃｈ  Ｍｏｔｉｏｎ」の文字形状の１つの指示表示８ｅが顕在化して映し出される。
【００６５】
したがって、本実施形態の入力装置１Ａによれば、前述した第１実施形態の入力装置１と同様の効果を奏することができるとともに、指示表示８をより明瞭に映し出すことができる。その結果、視認性をより向上できる。
【００６６】
図７から図９は、本発明に係る入力装置の第３実施形態を示すものであり、図７は要部を示す模式的分解斜視図、図８は全照明のオン状態における指示表示の表示状態を示す斜視図、図９は一部の照明のオン状態における指示表示の表示状態を示す斜視図である。
【００６７】
本実施形態の入力装置１Ｂは、第１実施形態の入力装置１の透過領域１３を複数に分割したものである。
【００６８】
すなわち、本実施形態の入力装置１Ｂにおいては、図７に示すように、照明手段３Ｂを２組とし、それぞれの導光板１２Ｂを入力手段２の背面に上下２段に配列することで、透過領域１３Ｂを上下２段としたものである。
【００６９】
なお、照明手段３Ｂを電極７毎に設けることもできる。すなわち、各指示表示８毎に透過領域１３Ｂを個別に設けることができる。
【００７０】
また、各照明手段３Ｂによる光の色を異なる色とすることもできる。
【００７１】
その他の構成は、前述した第１実施形態の入力装置１と同様とされているので、前述した第１実施形態の入力装置１と同一ないし相当する構成については図面中に同一の符号を付し、その詳しい説明については省略する。
【００７２】
このような構成の本実施形態の入力装置１Ｂによれば、２組の照明手段３Ｂからの照明のないオフ状態においては、前述した第１実施形態の入力装置１と同様に、カバーパネル４の表面に何も見えなくすることができる。
【００７３】
また、本実施形態の入力装置１Ｂによれば、図８に示すように、２組の照明手段３Ｂのそれぞれの導光板１２Ｂからの照明のある全照明のオン状態とすることで、各電極７を遮光部１４Ｂとすることで形成されたすべての指示表示８をカバーパネル４の表面に顕在化して明瞭に映し出すことができる。
【００７４】
さらに、本実施形態の入力装置１Ｂによれば、上下２段に配列された指示表示８を段毎に表示させることもできる。
【００７５】
すなわち、カバーパネル４の表面の入力操作体の位置に応じて、上下２段の指示表示８を選択的に表示させることができる。
【００７６】
例えば、静電センサ５の４つの電極７ａ、７ｂ、７ｃ、７ｄのいずれかに対する入力操作体の接近あるいは接触によって図７の上段に配設された照明手段３Ｂを点灯（一部の照明のオン状態）させることができる。これにより、図９に示すように、カバーパネル４の表面の上段部分を明るく光る透過領域１３Ｂとし、この透過領域１３Ｂの内部に、「Ａ」、「Ｂ」、「Ｃ」、「Ｄ」の文字形状に形成された４つの電極７ａ、７ｂ、７ｃ、７ｄが遮光部１４Ｂとなることで形成された指示表示８ａ、８ｂ、８ｃ、８ｄをカバーパネル４の表面に顕在化して明瞭に映し出すことができる。
【００７７】
すなわち、電源オン状態において２組の照明手段３Ｂをオフ状態とし、４つの電極７ａ、７ｂ、７ｃ、７ｄのいずれかに対する入力操作体、例えば、指先の接近あるいは接触を静電センサ５が検出した際に、２組の照明手段３Ｂのうちの検出側に位置する上段の照明手段３Ｂをオン状態とし、オン状態の照明手段３Ｂの上方に位置する４つの電極７ａ、７ｂ、７ｃ、７ｄを遮光部１４Ｂとすることにより形成された４つの指示表示８ａ、８ｂ、８ｃ、８ｄをカバーパネル４の表面の上段に顕在化して明瞭に映し出すことができる。
【００７８】
この時、２組の照明手段３Ｂのうちの検出側とは反対側に位置する下段の照明手段３Ｂはオフ状態とされているので、カバーパネル４の表面の下段部分は遮光部１４Ｂとなる。
【００７９】
また、静電センサ５の電極７ｅに対する入力操作体、例えば、指先の接近あるいは接触を静電センサ５が検出した際に、２組の照明手段３Ｂのうちの検出側に位置する下段の照明手段３Ｂをオン状態とし、オン状態の照明手段３Ｂの上方に位置する１つの電極７ｅにより形成された１つの指示表示８ｅをカバーパネル４の表面に顕在化して明瞭に映し出すことができる。
【００８０】
この時、２組の照明手段３Ｂのうちの検出側とは反対側に位置する上段の照明手段３Ｂはオフ状態とされているので、カバーパネル４の表面の上段部分が遮光部１４Ｂとなる。
【００８１】
すなわち、入力操作体が接近あるいは接触したカバーパネル４の表面の部位に対向する照明手段３Ｂをオン状態（一部の照明のオン状態）とし、その部位に配置されている一部の指示表示８をカバーパネル４の表面に顕在化させることができる。
【００８２】
なお、電源オン状態において２組の照明手段３Ｂをオン状態とし、いずれかの電極７に対する入力操作体の接近あるいは接触を静電センサ５が検出した際に、２組の照明手段３Ｂのうちの検出側とは反対側に位置する照明手段３Ｂをオフ状態とするようにしてもよい。
【００８３】
したがって、本実施形態の入力装置１Ｂによれば、前述した第１実施形態の入力装置１と同様の効果を奏することができるとともに、指示表示８の視認性、選択性および多様性をより向上することができる。
【００８４】
図１０から図１２は、本発明に係る入力装置の第４実施形態を示すものであり、図１０は要部を示す模式的分解斜視図、図１１は全照明のオン状態における指示表示の表示状態を示す斜視図、図１２は一部の照明のオン状態における指示表示の表示状態を示す斜視図である。
【００８５】
本実施形態の入力装置１Ｃは、前述した第２実施形態の入力装置１Ａと第３実施形態の入力装置１Ｂとを組み合わせたものである。
【００８６】
すなわち、本実施形態の入力装置１Ｃは、複数の透過領域１３Ｃを得るために、２組の照明手段３Ｃを上下２段に配列するとともに、入力手段２と照明手段３Ｃとの間に、指示表示８の周囲に限定する透過領域１３Ｃを得るための横長楕円形に形成された上下２段の第１開口２１Ｃａ、第２開口２１Ｃｂを有する遮光板２１Ｃを配設したものである。
【００８７】
勿論、遮光板２１Ｃのかわりに、入力手段２の照明手段３Ｃとの対向面、あるいは、照明手段３Ｃの入力手段２との対向面の一方に、所望のパターンの遮光膜を印刷などにより設けてもよい。
【００８８】
その他の構成は、前述した第２および第３実施形態の入力装置１Ａ、１Ｂと同様とされているので、前述した第２および第３実施形態の入力装置１Ａ、１Ｂと同一ないし相当する構成については図面中に同一の符号を付し、その詳しい説明については省略する。
【００８９】
このような構成の本実施形態の入力装置１Ｃによれば、照明手段３Ｃからの照明のないオフ状態においては、前述した第１から第３実施形態の入力装置１、１Ａ、１Ｂと同様に、入力装置１Ｃの表面に何も見えなくすることができる。
【００９０】
また、本実施形態の入力装置１Ｃによれば、照明手段３Ｃの全照明、すなわち、２つの照明手段３Ｃのそれぞれの導光板１２Ｃからの照明のあるオン状態においては、前述した第２実施形態の入力装置１Ａにおける全照明のオン状態（図６）と同様に、５つの電極７および遮光板２１Ｃの形成領域のそれぞれが遮光部１４Ｃとなり、図１１に示すように、２つの横長楕円形の透過領域１３Ｃの内部に、５つの電極７が遮光部１４Ｃとなることで形成されたすべての指示表示８をカバーパネル４の表面に顕在化してより明瞭に映し出すことができる。
【００９１】
すなわち、カバーパネル４の表面において、図１１の上段に示す横長楕円形の透過領域１３Ｃの内部には、４つの電極７ａ、７ｂ、７ｃ、７ｄを遮光部１４Ｂとすることにより形成された「Ａ」、「Ｂ」、「Ｃ」、「Ｄ」の４つの指示表示８ａ、８ｂ、８ｃ、８ｄが、図１１の下段に示す横長楕円形の透過領域１３Ｃの内部には、１つの電極７ｅを遮光部１４Ｂとすることにより形成された「Ｔｏｕｃｈ  Ｍｏｔｉｏｎ」の文字形状の１つの指示表示８ｅが顕在化して映し出される。
【００９２】
さらに、本実施形態の入力装置１Ｃによれば、前述した第３実施形態と同様に、上下２段に配列された指示表示８を段毎に表示させることもできる。
【００９３】
すなわち、カバーパネル４の表面の入力操作体の位置に応じて、上下２段の指示表示８を選択的に表示させることができる。
【００９４】
例えば、図１２に示すように、入力操作体が接近あるいは接触したカバーパネル４の表面の上段部分に、明るく光る横長楕円形の透過領域１３Ｃを形成し、この透過領域１３Ｃの内部に、「Ａ」、「Ｂ」、「Ｃ」、「Ｄ」の文字形状に形成された４つの電極７ａ、７ｂ、７ｃ、７ｄが遮光部１４Ｃとなることで形成された指示表示８ａ、８ｂ、８ｃ、８ｄを顕在化して映し出すことができる。
【００９５】
この時、２組の照明手段３Ｃのうちの検出側とは反対側に位置する下段の照明手段３Ｃはオフ状態とされているので、カバーパネル４の表面の下段部分は遮光部１４Ｃとなる。
【００９６】
勿論、両照明手段３Ｃのうちの他方、例えば、図１０の下段に示す照明手段３Ｃの導光板１２Ｃからの照明のあるオン状態（一部の照明のオン状態）においては、カバーパネル４の表面の下段部分に１つの横長楕円形の透過領域１３Ｃが形成され、この横長楕円形の透過領域１３Ｃの内部に、１つの電極７ｅが遮光部１４Ｃとなることで形成された「Ｔｏｕｃｈ  Ｍｏｔｉｏｎ」の１つの指示表示８ｅをカバーパネル４の表面に顕在化して明瞭に映し出すことができる。
【００９７】
すなわち、入力操作体が接近あるいは接触したカバーパネル４の表面の部位の照明手段３Ｃをオン状態（一部の照明をオン状態）とし、その部位に配置されている一部の指示表示８をカバーパネル４の表面に顕在化させることができる。
【００９８】
したがって、本実施形態の入力装置１Ｃによれば、前述した第２および第３実施形態の入力装置１Ａ、１Ｂによる効果を併せもたせることができる。
【００９９】
図１３から図１５は、本発明に係る入力装置の第５実施形態を示すものであり、図１３は要部の模式的分解斜視図、図１４は全照明のオン状態における指示表示の表示状態を示す平面図、図１５は一部の照明のオン状態における指示表示の表示状態を示す平面図である。
【０１００】
本実施形態の入力装置１Ｄは、前述した第４実施形態の入力装置１Ｃの変形例を示すものである。
、すなわち、本実施形態の入力装置１Ｄは、入力手段２Ｄの静電センサ５Ｄが４つの電極７Ｄａ、７Ｄｂ、７Ｄｃ、７Ｄｄを有している。これらの電極７Ｄ（符号７Ｄは、４つの電極７Ｄａ、７Ｄｂ、７Ｄｃ、７Ｄｄを総称する）は、それぞれ４つの指示表示８Ｄａ、８Ｄｂ、８Ｄｃ、８Ｄｄのパターンとなる一筆書きで「ＴＶ」、「ＶＩＤＥＯ」、「ＢＳ−Ｄ」、「ＰＣ」の文字形状に形成されている。そして、これらの４つの電極７Ｄ（符号７Ｄは、４つの電極７Ｄａ、７Ｄｂ、７Ｄｃ、７Ｄｄを総称する）が上下４段に配列されているとともに、それぞれの電極７Ｄの背面に、上下４段に配列された４組の照明手段３Ｄの導光板１２Ｄが配設されている。
【０１０１】
したがって、本実施形態の入力装置１Ｄにおいては、各電極７Ｄ毎に照明手段３Ｄが個別に配設されている。
【０１０２】
なお、各照明手段３Ｄによる発光色としては、すべて同一の色としたり、すべてを異なる色としたり、照明手段３Ｄの数より少ない数の色を組み合わせたりすることができる。
【０１０３】
前記入力手段２Ｄと照明手段３Ｄとの間には、４つの透過領域１３Ｄを得るための遮光板２１Ｄを配設するとともに、この遮光板２１Ｄに、指示表示８のパターンとなる「ＴＶ」の文字形状に形成された電極７Ｄａを内部に配置可能な図１３の最上方に示す横長矩形の第１開口２１Ｄａと、「ＶＩＤＥＯ」の文字形状に形成された電極７Ｄｂを内部に配置可能な図１３の上方から２段目に示す横長矩形の第２開口２１Ｄｂと、「ＢＳ−Ｄ」の文字形状に形成された電極７Ｄｃを内部に配置可能な図１３の上方から３段目に示す横長矩形の第３開口２１Ｄｃと、「ＰＣ」の文字形状に形成された電極７Ｄｄを内部に配置可能な図１３の最下方に示す横長矩形の第４開口２１Ｄｄとが上下４段に配列されている。
【０１０４】
その他の構成は、前述した第１実施形態の入力装置１と同様とされているので、前述した第１実施形態の入力装置１と同一ないし相当する構成については図面中に同一の符号を付し、その詳しい説明については省略する。
【０１０５】
このような構成からなる本実施形態の入力装置１Ｄによれば、前述した第４実施形態の入力装置１Ｃと同様の効果を奏することができるとともに、指示表示８Ｄ（符号８Ｄは、４つの指示表示８Ｄａ、８Ｄｂ、８Ｄｃ、８Ｄｄを総称する）の視認性、選択性および多様性をより向上することができる。
【０１０６】
すなわち、本実施形態の入力装置１Ｄによれば、各照明手段３Ｄからの照明のないオフ状態においては、前述した第１から第４実施形態の入力装置１、１Ａ、１Ｂ、１Ｃと同様に、入力装置１Ｄの表面に何も見えなくすることができる。
【０１０７】
また、本実施形態の入力装置１Ｄによれば、各照明手段３Ｃの全照明、すなわち、４つの照明手段３Ｄのそれぞれの導光板１２Ｄからの照明のあるオン状態においては、４つの電極７Ｄおよび遮光板２１Ｄの形成領域のそれぞれが遮光部１４Ｄとなり、図１４に示すように、４つの横長矩形の透過領域１３Ｄの内部に、４つの電極７Ｄが遮光部１４Ｄとなることで形成されたすべての指示表示８Ｄをカバーパネル４の表面に顕在化してより明瞭に映し出すことができる。
【０１０８】
すなわち、カバーパネル４の表面において、図１４の最上段に示す横長矩形の透過領域１３Ｄの内部に「ＴＶ」の指示表示８Ｄａ、図１４の上から下方に向かって２段目に示す横長矩形の透過領域１３Ｄの内部に「ＶＩＤＥＯ」の指示表示８Ｄｂ、図１４の上から下方に向かって３段目に示す横長矩形の透過領域１３Ｄの内部に「ＢＳ−Ｄ」の指示表示８Ｄｃ、図１４の最下段に示す横長矩形の透過領域１３Ｄの内部に「ＰＣ」の指示表示８Ｄｄが顕在化して映し出される。
【０１０９】
さらに、本実施形態の入力装置１Ｄによれば、前述した第４実施形態の入力手段１Ｃと同様に、操作入力体の接近あるいは接触を静電センサ５が検出した際に、４組の照明手段３Ｄのうちの検出側に位置する照明手段３Ｄをオン状態とすることで、上下４段に配列された指示表示８Ｄを段毎に表示させることもできる。  このような構成とすることで、入力操作体、例えば、操作者の指先がカバーパネル４の表面に接近あるいは接触すると、その部位に配設されている、例えば、「ＶＩＤＥＯ」の指示表示８Ｄｂが明るく光って表示されるので、操作者が今、どの操作スイッチを触っているのかを容易に判別することができる。その結果、複数の操作スイッチを近い距離で配設した場合においても、操作者が押したい操作スイッチを明確に判別することができるので、押したい操作スイッチとともにその周囲の操作スイッチまでともに操作してしまうという不都合を防止することができる。この「ＶＩＤＥＯ」の指示表示８Ｄが単独で表示された状態を図１５（ａ）に示す。
【０１１０】
この時、各照明手段３Ｄによる発光色をすべてを異なる色とすることで、選択性をより向上することができる。
【０１１１】
また、「ＶＩＤＥＯ」の指示表示８Ｄｂが表示された状態で、指先を例えば図１５（ａ）の上方に移動すると、指先の移動方向に「ＴＶ」の指示表示８Ｄａが「ＶＩＤＥＯ」の指示表示８Ｄｂとともに表示される。この時、「ＴＶ」の指示表示８Ｄａの色を、「ＶＩＤＥＯ」の指示表示８Ｄｂの色と異なる色とするとよい。このような構成としては、１つの照明手段３Ｄに、複数、例えば、２色の光源を配設することで実現することができる。この２種類の指示表示８Ｄａ、８Ｄｂがともに表示された状態を図１５（ｂ）に示す。
【０１１２】
その後、指先が「ＴＶ」の指示表示８Ｄａの上に到達する途中で「ＶＩＤＥＯ」の指示表示８Ｄｂが消える。この時、「ＴＶ」の指示表示８Ｄａの色を、「ＶＩＤＥＯ」の指示表示８Ｄｂが単独で表示されていた時と同一の色に変えてもよい。この「ＶＩＤＥＯ」の指示表示８Ｄｂが消えて、「ＴＶ」の指示表示８Ｄａが単独で表示された状態を図１５（ｃ）に示す。
【０１１３】
勿論、「ＶＩＤＥＯ」の指示表示８Ｄｂを表示させた後で、「ＶＩＤＥＯ」の指示表示８Ｄｂから指先を離し、その後、「ＴＶ」の指示表示８Ｄａの形成領域の上に指先を接近あるいは接触させると、「ＴＶ」の指示表示８Ｄａが表示される。
【０１１４】
なお、本実施形態の入力装置１Ｄによれば、指示表示８Ｄの光る位置や色を、操作スイッチに割り当てた機能（装置の入力モード：例えば、携帯電話における「待ち受け閉モード」、「アクティブモード」、「スタンバイモード」）毎に変更するという、機能をがらりと変えてしまうような使用方法に適用することができる。
【０１１５】
図１６および図１７は、本発明に係る入力装置１の第６実施形態を示すものであり、図１６は要部の模式的分解斜視図、図１７は照明のオン状態における指示表示の表示状態を示す斜視図である。
【０１１６】
本実施形態の入力装置１Ｅは、指示表示の変形例を示すものである。
【０１１７】
すなわち、本実施形態の入力装置１Ｅにおいては、図１６に示すように、入力手段２Ｅの一部を構成する静電センサ５Ｅの入力検出部としての４つの電極７Ｅが、照明手段３からの照明を遮光する遮光部１４Ｅとされているとともに、これらの電極７Ｅの内部には、４つの指示表示８Ｅに用いるパターンの光透過用開口１５が形成されている。
【０１１８】
例えば、図１６に示すように、入力手段２Ｅには、静電センサ５Ｅの入力検出部としての横長長方形状に形成された４つの電極７Ｅａ、７Ｅｂ、７Ｅｃ、７Ｅｄが上下方向に４段に配列されている。そして、図１６の最上方に示す電極７Ｅａの内部には、「ＰＯＷＥＲ」の文字状の光透過用開口１５ａが形成されており、この電極７Ｅａの下方に隣位する図１６の上方から２番目の電極７Ｅｂの内部には、「ＭＥＮＵ」の文字状の光透過用開口１５ｂが形成されている。さらに、図１６の上方から３番目の電極７Ｅｃの内部には、「ＶＯＬＵＭＥ」の文字状の光透過用開口１５ｃが形成されており、図１６の最下方の電極７Ｅｄの内部には、「ＣＨＡＮＮＥＬ」の文字状の光透過用開口１５ｄが形成されている。そして、これらの光透過用開口１５ａ、１５ｂ、１５ｃ、１５ｄによって、４つの指示表示８Ｅａ、８Ｅｂ、８Ｅｃ、８Ｅｄが形成されている。
【０１１９】
なお、光透過用開口１５（符号１５は、４つの光透過用開口１５ａ、１５ｂ、１５ｃ、１５ｄを総称する）の形状としては、数値、記号、絵記号などの各種の形状から使用目的に応じて選択使用することができる。
【０１２０】
また、入力手段２Ｅと照明手段３との間には、４つの電極７Ｅの外側を遮光するための遮光板２１Ｅが配設されている。この遮光板２１Ｅには、電極７Ｅａを内部に配置可能な図１６の最上方に示す横長矩形の第１開口２１Ｅａと、電極７Ｅｂを内部に配置可能な図１６の上方から２段目に示す横長矩形の第２開口２１Ｅｂと、電極７Ｅｃを内部に配置可能な図１６の上方から３段目に示す横長矩形の第３開口２１Ｅｃと、電極７Ｅｄを内部に配置可能な図１６の最下方に示す横長矩形の第４開口２１Ｅｄとが上下４段に配列されている。
【０１２１】
勿論、遮光板２１Ｅのかわりとして、前述した第２、４および５実施形態の入力装置１Ａ、１Ｃ、１Ｄと同様に、入力手段２Ｅの照明手段３との対向面、あるいは、照明手段３の入力手段２Ｅとの対向面の一方に、所望のパターンの遮光膜を印刷などにより設けてもよい。この遮光板２１Ｅは、設計コンセプトなどの必要に応じて設ければよい。
【０１２２】
なお、前述した第３、４および５実施形態の入力装置１Ｂ、１Ｃ、１Ｄと同様に、照明手段３を複数に分割してもよい。
【０１２３】
その他の構成は、前述した第１実施形態の入力装置１と同様とされているので、前述した第１実施形態の入力装置１と同一ないし相当する構成については図面中に同一の符号を付し、その詳しい説明については省略する。
【０１２４】
このような構成の本実施形態の入力装置１Ｅによれば、前述した第２実施形態の入力装置１Ａと同様の効果を奏することができる。
【０１２５】
すなわち、本実施形態の入力装置１Ｅによれば、照明手段３からの照明のないオフ状態においては、前述した第１実施形態の入力装置１と同様に、入力装置１Ｅの表面に何も見えなくすることができる。
【０１２６】
また、本実施形態の入力装置１Ｅによれば、照明手段３からの照明のあるオン状態においては、４つの電極７Ｅおよび遮光板２１Ｅが遮光部１４Ｅとなり、図１７に示すように、４つ電極７Ｅの内部の光透過用開口１５、すなわち、「ＰＯＷＥＲ」、「ＭＥＮＵ」、「ＶＯＬＵＭＥ」、「ＣＨＡＮＮＥＬ」の文字により形成された４つの指示表示８Ｅ（符号８Ｅは、４つの指示表示８Ｅａ、８Ｅｂ、８Ｅｃ、８Ｅｄを総称する）のそれぞれが透過領域１３Ｅとなって明るく光るので、各指示表示８Ｅをカバーパネル４の表面、すなわち、入力装置１Ｅの表面に顕在化して明瞭に映し出すことができる。
【０１２７】
すなわち、本実施形態の入力装置１Ｅによれば、高性能化を容易に図ることができる。
【０１２８】
なお、本実施形態の入力装置１Ｅによれば、照明手段３を複数に分割した構成とすることで、前述した第５実施形態の入力装置１Ｄと同様の効果を奏することができる。この場合、複数の照明手段３のそれぞれに、複数色の発光素子を設けることで、前述した第５実施形態の入力装置１Ｄと同様に、各指示表示８Ｅを多色表示することができる。
【０１２９】
図１８から図２０は、本発明に係る入力装置の第７実施形態を示すものであり、図１８は要部の模式的分解斜視図、図１９は照明のオフ状態における指示表示の表示状態を示す斜視図、図２０は照明のオン状態における指示表示の表示状態を示す斜視図である。
【０１３０】
図１８に示すように、本実施形態の入力装置１Ｆは、第２の指示表示８ＦＢが設けられた入力手段２Ｆと、照明手段３と、第１の指示表示８ＦＡが設けられたカバーパネル４Ｆとを有しており、入力手段２Ｆの静電センサ５Ｆの入力検出部としての５つの同一形状の電極７Ｆによって、照明手段３からの照明によって第２の指示表示８ＦＢが可能に形成されている。また、カバーパネル４Ｆは、照明手段３からの照明があるオン状態において第１および第２の指示表示８ＦＡ、８ＦＢの両者を視認可能とし、照明手段３からの照明がないオフ状態において第１の指示表示８ＦＡのみを視認可能とするように形成したものである。
【０１３１】
すなわち、本実施形態の入力装置１Ｆは、第１および第２の指示表示８ＦＡ、８ＦＢの２種類の指示表示８Ｆを有している。
【０１３２】
また、本実施形態の入力装置１Ｆにおいては、静電センサ５Ｆの入力検出部としての矩形状に形成された同一パターンの５つの電極７Ｆａ、７Ｆｂ、７Ｆｃ、７Ｆｄ、７Ｆｅが十字形をなすように配列されている。そして、各電極７Ｆ（符号７Ｆは、５つの電極７Ｆａ、７Ｆｂ、７Ｆｃ、７Ｆｄ、７Ｆｅを総称する）の内部には、前述した第６実施形態の入力装置１Ｅの電極Ｅと同様に、第２の指示表示８ＦＢとなる円形の光透過用開口１５Ｆａ、１５Ｆｂ、１５Ｆｃ、１５Ｆｄ、１５Ｆｅがそれぞれ形成されている。
【０１３３】
なお、光透過用開口１５Ｆ（符号１５Ｆは、５つの光透過用開口１５Ｆａ、１５Ｆｂ、１５Ｆｃ、１５Ｆｄ、１５Ｆｅを総称する）の形状としては、文字状、数値状、記号状、絵記号状などの各種の形状から選択使用することができる。
【０１３４】
また、各電極７Ｆとしては、光透過用開口１５Ｆを設けずに、前述した第１実施形態の入力装置１の電極７と同様に、電極７Ｆを遮光部１４Ｆとし、電極７Ｆの形状を第２の指示表示８ＦＢの形状そのものとしてもよい。この場合、電極７Ｆの形状としては、数値、記号、絵記号などの各種の形状から単数もしくは複数のものを使用目的に応じて選択使用することができる。
【０１３５】
前記カバーパネル４Ｆは、照明手段３の導光板１２からの照明があるオン状態において第１および第２の指示表示８ＦＡ、８ＦＢの両者を視認可能とし、照明手段３の導光板１２からの照明がないオフ状態において第１の指示表示８ＦＡのみを視認可能とするためのものであり、本実施形態においては、ハーフミラーあるいはスモークパネルが用いられている。そして、カバーパネル４Ｆの第２の指示表示８ＦＢと対向する部分、すなわち、情報の入力操作の実行部位となる位置には、５つの第１の指示表示８ＦＡが形成されている。
【０１３６】
本実施形態における５つの第１の指示表示８ＦＡは、上向き三角形とその底辺に隣位するように配置された直線からなる第１の指示表示８ＦＡａと、右向き三角形とその左辺に隣位するように配置された直線からなる第１の指示表示８ＦＡｂと、下向き三角形とその上辺に隣位するように配置された直線からなる第１の指示表示８ＦＡｃと、左向き三角形とその右辺に隣位するように配置された直線からなる第１の指示表示８ＦＡｄとが、環状に形成された第１の指示表示８ＦＡｅを中心として全体として十字形をなすように配置されている。
【０１３７】
なお、第１の指示表示８ＦＡとしては、数値、記号、絵記号などの各種の形状から使用目的に応じて選択使用することができる。
【０１３８】
また、第１の指示表示８ＦＡは、カバーパネル４Ｆの表面および背面の少なくとも一方に、印刷、熱転写、薄膜形成法とフォトリソ法との組み合わせなどにより形成するとよい。
【０１３９】
さらに、第１の指示表示８ＦＡの形成位置としては、入力手段２Ｆと対向する背面側に設けることが、人体との接触の繰り返しによる損傷を防止することができるという意味で好ましい。
【０１４０】
また、入力手段２Ｆと照明手段３との間には、５つの電極７Ｆの外側を遮光するための遮光板２１Ｆが配設されている。この遮光板２１Ｆには、各電極７Ｆを内部に配置可能な５つの矩形の第１開口２１Ｆａ、第２開口２１Ｆｂ、第３開口２１Ｆｃ、第４開口２１Ｆｄ、第５開口２１Ｆｅが全体として十字形をなすように配列されている。
【０１４１】
勿論、遮光板２１Ｆのかわりとして、前述した第２、４および５実施形態の入力装置１Ａ、１Ｃ、１Ｄと同様に、入力手段２Ｆの照明手段３との対向面、あるいは、照明手段３の入力手段２Ｆとの対向面の一方に、所望のパターンの遮光膜を印刷などにより設けてもよい。この遮光板２１Ｆは、設計コンセプトなどの必要に応じて設ければよい。
【０１４２】
なお、前述した第３、４および５実施形態の入力装置１Ｂ、１Ｃ、１Ｄと同様に、照明手段３を複数に分割してもよい。
【０１４３】
その他の構成は、前述した第１実施形態の入力装置１と同様とされているので、前述した第１実施形態の入力装置１と同一ないし相当する構成については図面中に同一の符号を付し、その詳しい説明については省略する。
【０１４４】
このような構成の本実施形態の入力装置１Ｆによれば、照明手段３からの照明のないオフ状態においては、図１９に示すように、カバーパネル４Ｆの表面に５つの第１の指示表示８ＦＡが見える。
【０１４５】
また、本実施形態の入力装置１Ｆによれば、照明手段３からの照明のあるオン状態においては、図２０に示すように、第１の指示表示８ＦＡ、遮光板２１Ｆおよび電極７Ｆが遮光部１４Ｆとなり、各電極７Ｆの内部の光透過用開口１５Ｆ、すなわち、円形に形成された第２の指示表示８ＦＢからなる透過領域１３Ｆの内部に、第１の指示表示８ＦＡが遮光部１４Ｆとなって映し出されるので、第１の指示表示８ＦＡとともに、第２の指示表示８ＦＢをカバーパネル４Ｆの表面に顕在化して、第１および第２の指示表示８Ｆａ、８Ｆｂの両者によって形成された指示表示８Ｆをより明瞭に映し出すことができる。
【０１４６】
したがって、本実施形態の入力装置１Ｆによれば、照明のオン状態において第１の指示表示８ＦＡの周囲が光るので、カバーパネル４Ｆに形成された第１の指示表示８ＦＡを浮かび上がらせることができる。その結果、接触操作する部位を操作者に容易に識別させることができるので、操作性を向上することができるとともに、誤操作を防止することができる。
【０１４７】
また、実施形態の入力装置１Ｆにおいては、第１および第２の指示表示８Ｆａ、８Ｆｂの組み合わせにより、従来にない新規な表示態様を得ることができる。
【０１４８】
例えば、第２の指示表示８ＦＢを、第１の指示表示８ＦＡの電極７Ｆと同様に形成するとともに、第１および第２の指示表示８Ｆａ、８Ｆｂを同一のパターンに形成することで、表示に奥行きを付与することができる。すなわち、立体感のある指示表示８Ｆを得ることができる。
【０１４９】
また、照明のあるオン状態において、第１の指示表示８ＦＡと第２の指示表示８ＦＢを重ねたり、第１の指示表示８ＦＡの傍に第２の指示表示８ＦＢを表示させることで、第１の指示表示８ＦＡと異なる新たな指示表示８Ｆを顕在化させることができる。その結果、指示表示８Ｆの多様性および視認性のさらなる向上を図ることができる。
【０１５０】
本実施形態の入力装置１Ｆによれば、カバーパネル４Ｆとしてハーフミラーを用いた場合には、照明のオフ状態における表面の第１の指示表示８ＦＡを除く部位の色を金属色とすることができるので、電子機器の入力操作部に高級感を付与することができる。勿論、第１の指示表示８ＦＡを異なる金属色とすることができる。
【０１５１】
本実施形態の入力装置１Ｆによれば、カバーパネル４Ｆとしてスモークパネルを用いた場合には、照明のオフ状態における表面の第１の指示表示８ＦＡを除く部位の色をスモークパネルの色彩によって制御することができるので、電子機器の入力操作部の色のバリエーションを容易に得ることができる。
【０１５２】
したがって、本実施形態の入力装置１Ｆによれば、高性能化を容易に図ることができる。
【０１５３】
なお、本実施形態の入力装置１Ｆによれば、照明手段３を複数に分割した構成とすることで、前述した第５実施形態の入力装置１Ｄと同様の効果を奏することができる。この場合、複数の照明手段３のそれぞれに、複数色の発光素子を設けることで、前述した第５実施形態の入力装置１Ｄと同様に、各指示表示８Ｅを多色表示することができる。
【０１５４】
本発明の入力装置は、携帯電話、携帯情報端末（ＰＤＡ）などの各種の既存の電子機器における操作者が数値や文字などの各種の情報の入力操作を行うための入力装置に用いることができる。
【０１５５】
なお、本発明は、前述した各実施形態に限定されるものではなく、必要に応じて種々の変更が可能である。
【図面の簡単な説明】
【０１５６】
【図１】本発明に係る入力装置の第１実施形態の要部を示す模式的分解斜視図
【図２】図１の照明のオフ状態における指示表示の表示状態を示す斜視図
【図３】図１の入力手段の要部を示す模式的拡大平面図
【図４】図１の照明のオン状態における指示表示の表示状態を示す斜視図
【図５】本発明に係る入力装置の第２実施形態の要部を示す模式的分解斜視図
【図６】図５の照明のオン状態における指示表示の表示状態を示す斜視図
【図７】本発明に係る入力装置の第３実施形態の要部を示す模式的分解斜視図
【図８】図７の全照明のオン状態における指示表示の表示状態を示す斜視図
【図９】図７の一部の照明のオン状態における指示表示の表示状態を示す斜視図
【図１０】本発明に係る入力装置の第４実施形態の要部を示す模式的分解斜視図
【図１１】図１０の全照明のオン状態における指示表示の表示状態を示す斜視図
【図１２】図１０の一部の照明のオン状態における指示表示の表示状態を示す斜視図
【図１３】本発明に係る入力装置の第５実施形態の要部を示す模式的分解斜視図
【図１４】図１３の全照明のオン状態における指示表示の表示状態を示す平面図
【図１５】（ａ）から(ｃ）は、図１３の一部の照明のオン状態における指示表示の表示状態を示す平面図
【図１６】本発明に係る入力装置の第６実施形態の要部を示す模式的分解斜視図
【図１７】図１６の照明のオン状態における指示表示の表示状態を示す斜視図
【図１８】本発明に係る入力装置の第７実施形態の要部を示す模式的分解斜視図
【図１９】図１８の照明のオフ状態における指示表示の表示状態を示す斜視図
【図２０】図１８の照明のオン状態における指示表示の表示状態を示す斜視図
【符号の説明】
【０１５７】
１、１Ａ、１Ｂ、１Ｃ、１Ｄ、１Ｅ、１Ｆ  入力装置
２、２Ｄ、２Ｅ、２Ｆ  入力手段
３、３Ｂ、３Ｃ、３Ｄ  照明手段
４、４Ｆ  カバーパネル
５、５Ｄ、５Ｅ、５Ｆ  静電センサ
５ａ  入力部
６  透明基板
７、７Ｄ、７Ｅ、７Ｆ  電極
８、８Ｄ、８Ｅ、８Ｆ  指示表示
８ＦＡ  第１の指示表示
８ＦＢ  第２の指示表示
１２、１２Ｂ、１２Ｃ、１２Ｄ  導光板
１３、１３Ａ、１３Ｂ、１３Ｃ、１３Ｄ、１３Ｅ、１３Ｆ  透過領域
１４、１４Ａ、１４Ｂ、１４Ｃ、１４Ｄ、１４Ｅ、１４Ｆ  遮光部
１５、１５Ｆ  光透過用開口
２１、２１Ｃ、２１Ｄ、２１Ｅ、２１Ｆ  遮光板
【図１】
2006260971.tif 000003
【図２】
2006260971.tif 000004
【図３】
2006260971.tif 000005
【図４】
2006260971.tif 000006
【図５】
2006260971.tif 000007
【図６】
2006260971.tif 000008
【図７】
2006260971.tif 000009
【図８】
2006260971.tif 000010
【図９】
2006260971.tif 000011
【図１０】
2006260971.tif 000012
【図１１】
2006260971.tif 000013
【図１２】
2006260971.tif 000014
【図１３】
2006260971.tif 000015
【図１４】
2006260971.tif 000016
【図１５】
2006260971.tif 000017
【図１６】
2006260971.tif 000018
【図１７】
2006260971.tif 000019
【図１８】
2006260971.tif 000020
【図１９】
2006260971.tif 000021
【図２０】
2006260971.tif 000022